(57)【要約】  グリッドランナーを壁成形部に取り付けるための耐震周囲取り付けクリップであって、金属シートベースとスライド要素とを備え、ベースは、壁成形部にネジで固定されるように構成および適合されたタブを有し、かつベースから垂直に延びる突出部を有し、スライドは、グリッドランナーに取り付けられるように構成および適合され、ベースおよびスライドは、カム面およびカム従動部面を提供し、これらの表面は、ホーム位置に相互に割り出し可能であり、カム面は、スライドが取り付けられたグリッドランナーの長手方向の動きに応答してタブから延びると、スライドと取り付けられたグリッドランナーとをホーム位置の高さから引き上げ、これによって、取り付けられたグリッドランナーの端が、端が壁成形部の下部フランジの遠位縁を通過するにつれて、下部フランジの上方に上昇するように構成されている。【選択図】図１
2020529538.tif 000002
【特許請求の範囲】
【請求項１】
グリッドランナーを壁成形部に取り付けるための耐震周囲取り付けクリップであって、金属シートベースとスライド要素とを備え、前記ベースが、前記壁成形部にネジで固定されるように構成および適合されたタブを有し、かつ前記タブから垂直に延びる突出部を有し、スライドが、グリッドランナーに取り付けられるように構成および適合され、前記ベースおよびスライドが、カムおよびカム従動部を提供し、前記カムおよび従動部が、ホーム位置に相互に割り出し可能であり、前記カムが、前記スライドが取り付けられたグリッドランナーの長手方向の動きに応答して前記タブから延びると、前記スライドと前記取り付けられたグリッドランナーとを前記ホーム位置の高さから引き上げ、これによって、前記取り付けられたグリッドランナーの端が、前記端が前記壁成形部の下部フランジの遠位縁を通過するにつれて、前記下部フランジの上方に上昇するように構成され、前記カムおよび従動部が、前記グリッドランナーが前記スライドを前記タブに向かって圧縮すると、前記スライドおよびグリッドランナーを引き上げるように配置されている、耐震周囲取り付けクリップ。
【請求項２】
前記カムが、前記突出部によって提供され、前記カム従動部が、前記スライドによって提供される、請求項１に記載の耐震周囲取り付けクリップ。
【請求項３】
前記ベースおよびスライドが、単一の金属シートから打ち抜かれ、共通のストラップによって接合され、前記ストラップが、前記ベースおよびスライドを当接させ、相互に割り出しされた状態に維持するように折り畳まれている、請求項１に記載の耐震周囲取り付けクリップ。
【請求項４】
前記ストラップが、折り線で切り欠かれている、請求項３に記載の耐震周囲取り付けクリップ。
【請求項５】
前記カムが、前記ホーム位置の両側にプロファイルセクションを有し、前記プロファイルセクションの各々が、前記スライドを上昇させるように配置されている、請求項１に記載の耐震周囲取り付けクリップ。
【請求項６】
前記カムを提供する要素が、前記スライドの水平方向の動きを制限するための停止部を含む、請求項１に記載の耐震周囲取り付けクリップ。
【請求項７】
前記スライドおよび突出部が、前記スライドを前記ホーム位置において前記ベースに割り出すことを目的として共通のネジを受け入れるための整列可能な穴を有する、請求項１に記載の耐震周囲取り付けクリップ。
【請求項８】
前記カムが、前記突出部のプロファイルの縁面である、請求項１に記載の耐震周囲取り付けクリップ。
【請求項９】
グリッドランナーを壁成形部に取り付けるための耐震周囲取り付けクリップであって、金属シートベースとスライド要素とを備え、前記ベースが、前記壁成形部にネジで固定されるように構成および適合されたタブを有し、かつ前記タブから垂直に延びる突出部を有し、スライドが、グリッドランナーに取り付けられるように構成および適合され、前記ベースおよびスライドが、カムおよびカム従動部を提供し、前記カムおよび従動部が、ホーム位置に相互に割り出し可能であり、前記カムが、前記スライドが取り付けられたグリッドランナーの長手方向の動きに応答して前記タブから延びると、前記スライドと前記取り付けられたグリッドランナーとを前記ホーム位置の高さから引き上げ、これによって、前記取り付けられたグリッドランナーの端が、前記端が前記壁成形部の下部フランジの遠位縁を通過するにつれて、前記下部フランジの上方に上昇するように構成され、前記カム従動部が、前記スライドの主部分の平面から外に曲げられた前記スライドの一部上の、前記スライドの面である、耐震周囲取り付けクリップ。
【請求項１０】
前記カムのプロファイルが、前記ホーム位置に対応する２つの離間した低いスポットを有し、前記スライドが、２つのカム従動部部品を有する、請求項９に記載の耐震周囲取り付けクリップ。
【発明の詳細な説明】
【技術分野】
【０００１】
本発明は、吊り天井グリッド構造体のための付属品に関し、特に、グリッド部材を安定させるための耐震クリップに関する。
【背景技術】
【０００２】
米国特許第５，０４６，２９４号、同第７，２９３，３９３号、同第７，５５２，５６７号および同第８，４５３，４０７号は、吊り天井グリッドの周囲でグリッドランナーの端の動きを制限するために使用される耐震クリップの例である。地震事象中にグリッドランナーを支持および保護する機能において、汎用性および信頼性のある改善された耐震クリップに対する要望が依然として存在する。
【発明の概要】
【０００３】
本発明は、高い強度、剛性、および汎用性を提供すると同時に、地震事象中に全範囲のグリッド移動をもたらすようにクリップの能力を改善する、吊り天井グリッドランナーのための耐震クリップを提供する。
【０００４】
本発明のクリップは、地震事象中にグリッドランナーの端を正確に持ち上げるように取り付けられ、それによって、壁成形部に向かって振り戻されるグリッドランナーの変位した端との間の衝突のリスクが低減される。
【０００５】
設置時および正常な静的条件下では、グリッドランナーは、典型的にはＴ字型であり、壁アングルの水平脚または壁チャネルのフランジの上部にある。以下、用語「壁成形部」は、壁アングルおよび壁チャネルの両方を含み、用語「フランジ」は、壁アングル脚または壁チャネルフランジのいずれかを意味する。地震事象では、吊り天井グリッドは、水平にシフトするかまたは揺れることができ、それによって、グリッドランナー端の縁が、壁成形フランジの外縁から外側に動く。グリッドランナーの戻り動作時には、衝突を避けるために、グリッドランナー端の縁が壁成形フランジの外端の上にあることが必須である。本発明のクリップは、グリッドランナーの端が壁成形フランジに接近するか、または壁成形フランジに直接重なる位置にあるとき、設置高さからのグリッドランナーの正確かつ確実な持ち上げを保証する。クリップは、グリッドランナー端を壁成形フランジ上に確実に誘導し得ない先行技術のクリップを超える進歩である。
【０００６】
本発明のいくつかの開示された実施形態において、クリップは、金属シートから型押しされた２部品装置であり、各部品は、一対の嵌合カムおよびカム従動要素のうちの１つを含む。好ましくは、壁に固定された支持ベース部品が、カムを提供し、グリッドランナーに固定されたスライダーが、カム従動部を提供する。開示された実施形態におけるカム面は、双方向性である。このカム構成は、振動を減衰するために役立ち、地震事象中に自己センタリングする傾向がある。クリップ部品または要素にカムおよび従動部の両方の面を設けることにより、壁成形品に対するグリッドランナーの位置をより正確に制御することができる。
【図面の簡単な説明】
【０００７】
【図１】本発明のクリップの第１の実施形態と嵌合された壁成形品と交差するグリッドランナー端の斜視図である。
【図２】図１のクリップの中間構成の斜視図である。
【図２Ａ】図１のクリップの中間構成の側面図である。
【図３】中心位置または「ホーム」位置における図１のクリップの側面斜視図である。
【図４】伸長位置における図１のクリップの側面斜視図である。
【図５】圧縮位置における図１のクリップの側面斜視図である。
【図６】本発明のクリップの第２の実施形態の分解側面斜視図である。
【図６Ａ】図６のクリップの分解端面図である。
【図７】図６のクリップの組立側面斜視図である。
【図８】本発明のクリップの第３の実施形態の分解側面斜視図である。
【図９】図８とは反対側から見たクリップの第３の実施形態の組立側面斜視図である。
【発明を実施するための形態】
【０００８】
図１は、吊り天井の周囲で壁成形アングル１１と交差するグリッドランナーまたはＴ字グリッド１０の部分を図示する。グリッドランナー１０は、典型的には逆Ｔ字型の断面を有し、以下単にクリップと称される場合があるクリップアセンブリ１２によって、壁および／または壁成形部１１に固定される。クリップ１２は、完全に設置されると、２つの別個の部品、すなわちベース１３およびスライド１４になる。図２に示されるように、クリップ１２の両方の部品１３、１４は、単一の金属シート、すなわち、２０ゲージの溶融亜鉛めっき（ＨＤＧ）鋼からブランキングされることができ、部品は、最初は共通のブリッジまたはストラップ１６と一体化している。クリップ１２は、ストラップ１６の中央で折り畳まれ、部品１３、１４を当接させる。ストラップ１６には、対向するノッチ対を設けることができ、一方の対１７は、ストラップの中心で折り畳むのに好都合であり、他方の対１８は後に切断線を引くために好都合である。折り畳まれると、ストラップ１６は、部品１３、１４を互いに適切な位置決めおよび整列状態に維持する。
【０００９】
ベース１３は、装着プレートまたはタブ２１と、装着プレートに対して直角の突出部２２とを含む。装着プレートは、好ましくは平坦であり、ベース１３を壁成形部１１または壁に固定するために使用されるネジまたは他の留め具を受け入れるためのいくつかの穴２３を含む。図２に示されるように、スライド１４は、側面視でほぼ矩形のプロファイルを有する。スライド１４は、中間水平オフセットセクション２８によって分離された２つの平面垂直セクション２６、２７を有する。穴２９、３０は、留め具、典型的には自己穿孔ネジを受け入れるために、セクション２６、２７に打ち抜きまたは他の方法で形成される。
【００１０】
スライド１４の両端のタブ３１は、セクション２６の平面から外に曲げられている。スライド１４は、ノッチ１７間の線上でストラップ１６を折り畳むことにより、ベース突出部２２に抗して当接する。スライド１４がベース１３に当接することにより、タブ３１は、最初に突出部２２の上縁を越えて突出し、その後、突出部に向かって平坦に押し下げられる。
【００１１】
突出部２２の上縁面３２は、突出部に対して水平方向にスライドする動きに応答して、スライド１４を上下させるためのカムとして機能する。突出部上縁３２と接触するスライドタブ３１の下面または内面３３は、カム従動部として機能する。図２は、突出部上縁３２のカムプロファイルを最も明確に図示している。カムプロファイルは、好ましくは、ストラップ１６の両側に複製される。カムプロファイルは、タブ３１間の間隔に対応する間隔をもつ２つの低スポット３４を有する。傾斜した上昇ゾーン３６は、低スポット３４の両側に存在する。タブ表面３３が低スポット３４の表面上にあるとき、スライド１４は、ベース突出部２２上の通常の位置に芯合わせされる。この位置は、ストラップ１６の拘束によって自動的に確立され維持される。
【００１２】
吊り天井グリッド設置の慣例として、グリッドランナーまたはＴ字グリッド１０は、その端縁が３７で示される水平脚またはフランジの上方にあり、壁成形部の３８で示される垂直ウェブまたは脚から離れるように切断される。
【００１３】
ベース装着板２１は、壁成形体１１の後方または前方に設置することができる。壁スタッドが利用可能な場合、タブ穴２３に挿入された１つ以上のネジを使用して、クリップ１２をスタッドおよび壁成形部１１に固定し、さもなければ、タブを同じようにして壁成形部単体に固定することができる。
【００１４】
ベース１３が壁に固定され、グリッドランナー１０が壁成形フランジ３７に載置され、スライド１４がカム低スポット３４の表面に載置されているタブ表面３３に適切に割り出された状態で、スライド１４はインストーラによって、自己穿孔ネジまたは他の留め具を予め形成された穴２９を通してグリッドランナー１０のウェブに進めることにより、グリッドランナー１０に固定される。オフセット２８は、スライドセクション２６をＴ字グリッドのウェブに抗して当接させることを可能にし、セクション２７の、Ｔ字グリッド１０の補強バルブ４１とベース突出部２２との間隙を提供する。
【００１５】
これらの設定された静的条件下では、Ｔ字グリッド、壁成形部、クリップベース、およびクリップスライドの相対位置が正確に決定され、グリッドランナー１０が壁成形フランジ３７上に載置されているとき、カム従動部面３３とカム面３４との間に垂直な間隙は存在しない。次に、折り畳まれたストラップ１６の上端は、一対のノッチ１８でクリップ留めされ、スライド１４をベース１３から分離または外すことができる。所望であれば、クリップの設置前およびストラップ１６が切り離される前に（または、以下に述べられるクリップのようにストラップが設けられない場合）、スライド１４は、ネジ４６によって、スライド１４に予め形成された穴３０およびベース突出部２２を通して、ベース１３に割り出される。ストラップ１６は切り離されることができ、その後クリップを設置することができる。クリップ１２がＴ字グリッド１０に取り付けられた後、スライドをベースに割り出すネジ４６を取り外すことができる。
【００１６】
スライド１４の垂直縁は、グリッドランナー１０の端と位置合わせされることができる。
【００１７】
文言「割り出し（ｉｎｄｅｘ）」（および派生語）は、本明細書では、相対的な部品が適切に整列され、適切な機能性のために位置合わせされることを意味するために使用される。
【００１８】
図３および図４を参照すると、スライド１４は、グリッドランナー１０に取り付けられていると理解され、地震事象中にグリッドランナーによって壁およびベース１３から引き離されると、スライドおよびグリッドランナーは、各傾斜カム面３６の傾斜によって決定される垂直距離を、各タブまたは従動部面３３によって「追従」され、スライドが水平に変位するように引き上げられる。図４に示されるように、壁に近接したタブ３１がベース突出部２２の停止部として機能するストラップ１６の残部と係合すると、スライド１４の水平な動きが制限される。天井グリッドが跳ね返り、グリッドランナー１０が壁に向かって戻ると、カム面３６は、スライド１４を確実に支持し、関連付けられたグリッドランナーの端は、壁成形フランジ３７の遠位縁の上方に間隔を置いて配置される。したがって、これらの要素間の衝突のリスクは、排除されないとしても減少する。天井グリッドが壁に向かって振り戻される場合、図５に描画されるように、外側タブまたは遠位タブ３１とストラップ１６との係合によって、スライド１４およびグリッドランナー１０が停止される。
【００１９】
各スライドタブ３１に関連付けられたＶ字形または谷形のカムプロファイルは、各グリッドランナーに関連付けられたグリッド領域の振動を減衰させる役割を果たし、スライド１４およびそのグリッドランナー１０を元の設置位置に付勢する傾向がある。
【００２０】
図６、図６Ａおよび図７は、両方ともが打ち抜かれるかまたは他の方法で金属シートから形成されたベース５１およびスライド５２を有するクリップ５０の第２の実施形態を示す。ベースは、壁および／または壁成形部への取り付けのためのネジ用の穴５４を備える平坦な装着タブ５３を含む。ベース５１の突出部５６は、装着タブ５３と一体であり、装着タブ５３に対して直角に延びている。平坦な主部分５７を有する突出部５６は、主部分の下縁に沿って主部分の平面の外に延びる狭いフランジ５８によって補強されている。
【００２１】
突出部５６の上縁５９は、前述のクリップ１２のものと類似している２つのカム面領域６１を有する。各カム６１は、最下層である中央ホームゾーン６２と、ホームゾーンの両側に上昇または傾斜ゾーン６３とを有する。カム領域６２、６３は、クリップ１２のストラップ１６に類似した止め具６４によって分離されている。
【００２２】
スライド５２は、ネジ留め具などによってグリッドランナー１０のウェブに取り付けるための穴６７を備える平坦な下部分６６を含む。上部平坦部６８は、上部６８に対して直角に曲げられたタブ７１の下側に離間したカム従動部面６９を有する。タブ７１の遠位端は、上部６８から水平方向に間隔を置いて配置されたストラップ７２によって接合され、それによって、スロット７３が停止部６４を受け入れるよう存在する。
【００２３】
ベース５１およびスライド５２の穴７６、７７はそれぞれ、図７に示すように、整列されて共通のネジ７８を受け入れ、これらの部品を互いに対してホーム位置または中心位置に割り出す。クリップ５０は、概ねクリップ１２について記載されたような方法で設置され、動作する。クリップ５０が、壁成形部とグリッドランナーの間に取り付けられると、インデックスネジ７８が取り外される。
【００２４】
図８および図９は、８０で示される本発明のクリップの第３の実施形態を図示する。クリップ８０は、ベース８１およびスライド８２の組立体であり、各々が、好ましくは金属シートから打ち抜かれる。ベース８１は、取り付けタブまたはプレート８３と、プレートに垂直に延びる突出部８４とを含む。取り付けタブ８３には、タブを壁成形物の垂直脚部またはウェブの後ろまたは前に、壁または壁成形物に固定するネジを受け入れるための穴８６が設けられている。突出部８４は、側面視で細長い長方形のプロファイルを有する。上部セクションでは、突出部８４は、複製プロファイルを有する離間したカム面８７、８８を形成するスロット８５を有する。各カム面８７、８８は、中央下部ホーム面８９と、ホーム面の両側に傾斜面９１を有する。
【００２５】
止め具９２は、カム面８７、８８の間に位置し、カム面８７、８８の上に突出する。突出部８４の上部ストリップ９３は、スロット８５に沿って延び、突出部を補強する役割を果たす突出部の平面から曲げられた長さ方向のフランジ９４を有する。ストリップ９３の一端はタブ８３に接合され、反対端は突出部の遠位部に接合されている。
【００２６】
スライド８２は、スライドをグリッドランナー１０のウェブに取り付けるためのネジ用の穴９７を備えた平坦な底部９６を有する。オフセット９９によって底部に結合された平坦な上部９８は、割出し穴１０１と、細長スロット１０２と、フランジ１０３とを有する。フランジ１０３の各端のランド領域１０５の下面１０４は、カム従動部として機能する。
【００２７】
図９は、フランジ１０３が突出部８４の上側スライド部９８が位置する側とは反対側にある組み立てられた状態のクリップ８０を示す。ネジが穴１０１、１０７に位置すると、スライド８２は、ベース突出部８４に対してホーム位置に割り出される。
【００２８】
クリップ１２に関連して説明したようにグリッド部材および壁成形品に装着されると、スライド８２が、ベース８１に対して、グリッドランナーのいずれかの長手方向に向かって変位し、結果として、グリッドランナーは、カム面８７とカム従動部面１０４との間の相互作用によって、壁成形フランジの上方に引き上げられる。ストリップ９３は、激しい地震活動中にランド領域１０５がスロット８５内に留まるように、スライド８２を拘束することができる。
【００２９】
本発明を、その特定の実施形態に関して示しかつ説明してきたが、これは、限定ではなく例示を目的とするものであり、本明細書で図示および説明した特定の実施形態の他の変形および改変は、当業者には、すべて本発明の意図された本質および範囲内で明らかであろう。したがって、本特許は、範囲および効果において、本明細書で示および説明された特定の実施形態に限定されず、本発明によって技術の進歩が前進した範囲と一致しない他の方法においても限定されない。
【図１】
2020529538.tif 000003
【図２】
2020529538.tif 000004
【図２Ａ】
2020529538.tif 000005
【図３】
2020529538.tif 000006
【図４】
2020529538.tif 000007
【図５】
2020529538.tif 000008
【図６】
2020529538.tif 000009
【図６Ａ】
2020529538.tif 000010
【図７】
2020529538.tif 000011
【図８】
2020529538.tif 000012
【図９】
2020529538.tif 000013
【国際調査報告】
2020529538.tif 000014
2020529538.tif 000015